(57)【要約】【課題】排泄後の尿や軟便が身体に触れることを可及的に回避して、排泄後の気持ち悪さを解消するおむつ用補助シートを提供すること。【解決手段】おむつとその使用者の股との間に配置されたシートであり、少なくともシートの周縁を除く領域に、厚み方向を切断した複数の切断部３０を有し、互いに隣接する切断部３０どうしの間は、股からの排泄物ＵＲが付着することでおむつ１０側に落ち込むように変位する変位部４０とされ、変位部４０は間隔をあけて複数配置されている。【選択図】図４
2014226385.tif 000002
【特許請求の範囲】
【請求項１】
おむつとその使用者の股との間に配置されるシートであり、
少なくとも前記シートの周縁を除く領域に、厚み方向を切断した複数の切断部を有し、
互いに隣接する前記切断部どうしの間に、前記股からの排泄物が付着することで前記おむつ側に落ち込むように変位する変位部が形成され、
前記変位部は間隔をあけて複数配置されている
ことを特徴とするおむつ用補助シート。
【請求項２】
前記シートは、プリーツ状に折られた襞部を有し、この襞部の全幅を切るようにして、厚み方向全体を切った複数の切れ目を入れて前記複数の切断部が形成されており、
前記襞部は厚み方向が固着した固着部を有し、この固着部と前記変位部とが前記切断部を間に挟みながら交互に配置されるようになっている
ことを特徴とする請求項１に記載のおむつ用補助シート。
【請求項３】
前記固着部はドット状であることを特徴とする請求項２に記載のおむつ用補助シート。
【請求項４】
前記固着部と前記変位部との間の前記切断部は、装着時の前記股側における前記襞部の先端部に対応する部分が、平面視において、隣接する前記固着部側に曲がった角丸形状となっていることを特徴とする請求項３に記載のおむつ用補助シート。
【請求項５】
前記切断部は平面視において波型形状を有することを特徴とする請求項１ないし４のいずれかに記載のおむつ用補助シート。
【請求項６】
前記変位部は、大便が排泄される領域に配置された大便変位部と、尿が排泄される領域に配置された尿変位部とを有し、
前記尿変位部は前記大便変位部に比べて平面視における面積が小さい
ことを特徴とする請求項１ないし５のいずれかに記載のおむつ用補助シート。
【請求項７】
前記シートは、少なくとも、装着時における股の間に対応する領域であって、股の幅方向の両端部には、装着時の前後方向に沿って、前記シートを拡げた状態で張力を発揮するように弾性体が設けられていることを特徴とする請求項１ないし６のいずれかに記載のおむつ用補助シート。
【発明の詳細な説明】
【技術分野】
【０００１】
本発明はおむつに付属して使用されるおむつ用補助シートに関する。
【背景技術】
【０００２】
介護用や乳幼児用のおむつには、旧来から使用されている布製のおむつや、パンツと同様な形状をしたパンツ式、またはテープでパンツの形状に組み立てて使用するテープ式等の使い捨ておむつが広く用いられている。
例えば、使い捨ておむつは、使用者の股側に透過性のある不織布などを配置してなる表面材と、外側に尿の透過を防止する防水シートと、表面材と防水シートとで挟まれ、表面材から透過してきた尿を吸収する吸収性ポリマー等からなる吸収体とを有している。このおむつでは、吸収体が排泄の速度に対応して素早く尿を吸収できず、また、股とおむつとの間に隙間ができ易いことから、脚周りの間から尿が漏れるという所謂横漏れを防止する構造を有している。
例えば、特許文献１では、その図２に示されるように、おむつの幅方向の縁部にサイドフラップ４，５を設けて尿を堰き止め、横からの尿漏れを防止している。
また、特許文献２では、その図１に示されるように、幅方向の中心に向かって開口したポケット１ａを有し、このポケット１ａで軟便を捕捉して横漏れを防止するようにしている。
【先行技術文献】
【特許文献】
【０００３】
【特許文献１】特許第３３８５１９０号公報
【特許文献２】特開２００１−２４５９２４号公報
【発明の概要】
【発明が解決しようとする課題】
【０００４】
ところで、使い捨ておむつは、概ねの液体を吸収体が吸収したとしても、排泄した軟便や尿が表面材の平面方向に伝わって拡がるため、表面材には軟便や尿が付着したままの状態になり易い。特に、軟便であれば、吸収体への吸収は完全に行われず、固形物が表面材の表面に残ることとなる。そして、これが使用者に対して不快感を与えている。また、このように軟便や尿の表面材への付着状態は布おむつについても同様であり、使い捨ておむつと同様に不快感を与える。
なお、特許文献１や２ではサイドフラップ又はポケットを設けているが、これはあくまでも横漏れ防止のための機構であり、この軟便や尿の表面材への付着状態を防止するようなものではない。
特許文献１では、たとえ幅方向への尿の流動が阻止されて、横漏れが抑えられてとしても、軟便や尿は長手方向に拡がってしまうし、そもそもプリーツが適切に立った状態でないと、幅方向の軟便や尿の流動を上手く阻止することができず、やはり軟便や尿の拡がりを実際に抑制することは難しい。
また、特許文献２では、ポケット１ａを有しているが、このようなポケット１ａでは、多量の軟便や尿を収容することが不可能で、ポケット１ａから軟便や尿が溢れ出てしまうし、たとえ収容できたとしても、ポケット１ａに液体が滲んで身体に接触するため、不快感は避けられない。
そこで、本発明は、排泄後の軟便や尿が身体に触れることを可及的に回避して、排泄後の気持ち悪さを解消するおむつ用補助シートを提供することを目的とする。
【課題を解決するための手段】
【０００５】
上記課題は、おむつとその使用者の股との間に配置されるシートであり、少なくとも前記シートの周縁を除く領域に、厚み方向を切断した複数の切断部を有し、互いに隣接する前記切断部どうしの間に、前記股からの排泄物が付着することで前記おむつ側に落ち込むように変位する変位部が形成され、前記変位部は間隔をあけて複数配置されているおむつ用補助シートにより解決される。
【０００６】
本発明は、おむつとその使用者の股との間に配置されるシートである。このため、当該シートを股に当てるように付けて、その後おむつを着用すれば、通常、おむつは股との間に所定の空間を有するため、当該シートとおむつとの間には所定の空間が形成される。
ここで、本発明のおむつ補助用シートでは、少なくともシートの周縁を除く領域に、厚み方向を切断した複数の切断部を有し、互いに隣接する切断部どうしの間に、排泄物が付着することでおむつ側に落ち込むように変位する変位部が形成されている。従って、排泄物が変位部に付着して所要の重量になると、変位部はシートとおむつとの間の所定の空間に落ち込んで、変位部に付着した排泄物がそれ以上シートの表面に拡がることを有効に防止できる。
しかも、切断部どうしの間が変位部であるため、この変位部がおむつ側に落ち込むと、その落ち込んだ変位部の両端にある切断部から排泄物をおむつ側に落とすことができる。従って、変位部の中の排泄物が充満して溢れ出るようなことも有効に防止されている。
そして、このような変位部は間隔をあけて複数配置されている。このため、排泄物の量がある程度多くても、複数の変位部でシートの表面への拡がりを防止でき、さらに、例えば大きな変位部を一つ形成するのに比べて、変位部どうしの間の領域が身体に当接して、落ち込んだ変位部と身体とが当接してしまう事態を防止できる。
以上のようにして、軟便や尿が付着した表面が身体に触れる領域を小さくして、使用者に与える不快感を軽減することできる。また、このように軟便や尿が身体に触れる領域が小さくなった結果、例えば、横向きで寝た状態の使用者の肌を軟便や尿が伝わることも抑制でき、従って、所謂横漏れ防止効果も有効に発揮される。
【０００７】
また、好ましくは、前記シートは、プリーツ状に折られた襞部を有し、この襞部の全幅を切るようにして、厚み方向全体を切った複数の切れ目を入れて前記複数の切断部が形成されており、前記襞部は厚み方向が固着した固着部を有し、この固着部と前記変位部とが前記切断部を間に挟みながら交互に配置されるようになっていることを特徴とする。
従って、例えば変位部を他の部材で形成する等の煩わしい製造方法を用いることなく、容易におむつ用補助シートを形成できる。すなわち、例えば一枚のシートを長手方向に沿って折ることでプリーツ状に形成し、そこに切断部となる切れ目を幅方向に沿って複数入れて、例えば２つの切断部おきに襞部を固着するだけで、簡単に複数の変位部が間隔をあけて形成できる。
なお、この場合の変位部は、排泄物の重みを契機としてプリーツ状の折り目が広がることで、おむつ側に変位するが、本好ましい構成では、プリーツ状に折られた襞部は固着部を有するため、排泄物が付着していないプリーツ状の折り目までが無用に広がって、おむつ側に変位してしまう事態も有効に防止できる。
【０００８】
また、好ましくは、前記固着部はドット状である。このため、上述のように固着部と変位部とが切断部を間に挟みながら交互に配置されることで形成される「２つの切断部に挟まれた固着部を有する襞部の領域」については、厚み方向の面の全体が固着されていない状態となる。従って、例えば変位部に大量の軟便が入るなどして、変位部から便が溢れ出ようとした場合、襞部の固着していない襞の間に排泄物が入って、便が身体側に溢れることを可及的に防止できる。
【０００９】
また、好ましくは、前記固着部と前記変位部との間の前記切断部は、装着時の前記股側における前記襞部の先端部に対応する部分が、平面視において、隣接する前記固着部側に曲がった角丸形状となっていることを特徴とする。
そうすると、変位部がおむつ側に落ち込んで、その変位部に隣接した固着部を有する領域が落ち込まずに残っても、その残った襞部の角部が角丸形状となる。従って、当該落ち込まずに残った部分が身体に当たる際、肌へ刺激を与えないようにすることができる。
【００１０】
また、好ましくは、前記切断部は平面視において波型形状を有することを特徴とする。従って、変位部がおむつ側に落ち込んで、その落ち込んだ切断部から軟便や尿がおむつ側に落ちる際、波型形状の部分が契機となって、おむつ側に落ち易くなる。
【００１１】
また、好ましくは、前記変位部は、大便が排泄される領域に配置された大便変位部と、尿が排泄される領域に配置された尿変位部とを有し、尿変位部は大便変位部に比べて平面視における面積が小さいことを特徴とする。
そうすると、尿が排泄される領域では、変位部は尿が付着すると相対的に直ぐに落ち込むように変位して、表面に拡がり易い尿を速やかにおむつ側に移動させることができる。また、相対的に面積が大きい大便変位部は、大きな大便を受け入れ易くなる。従って、尿と大便（軟便も含む）の双方とも身体に付着する面積を減らして、より使用感を高めることができる。
【００１２】
また、好ましくは、前記シートは、少なくとも、装着時における股の間に対応する領域であって、股の幅方向の両端部には、装着時の前後方向に沿って、前記シートを拡げた状態で張力を発揮するように弾性体が設けられていることを特徴とする。
そうすると、シートの股の間に対応する領域を、弾性体の力で身体側に向かって凸となるように湾曲させることができ、これにより股に近接させ易いおむつ用補助シートを形成することができる。従って、装着時において、本シートとおむつとの間に所定の空間を形成し易く、変位部をおむつ側に落ち込み易くすることができる。
【発明の効果】
【００１３】
以上、本発明は、排泄後の軟便や尿が身体に触れることを可及的に回避して、排泄後の気持ち悪さを解消するおむつ用補助シートを提供することができる。
【図面の簡単な説明】
【００１４】
【図１】本発明のおむつ用補助シートの装着状態を示す図であり、一緒にパンツ型おむつを履いた状態図（人体の骨や筋は一点鎖線、人体の外形は二点鎖線、おむつ用補助シートは破線でそれぞれ図示している）。
【図２】図１のＡ−Ａ概略断面図（人体の骨や筋等は省略しており、また、おむつ用補助シート及びパンツ型おむつも概ねの外形のみを図示している）。
【図３】本発明の第１の実施形態に係るおむつ用補助シートの平面図。
【図４】図４（ａ）は図３のＢ−Ｂ概略断面図、図４（ｂ）は図４（ａ）の変位部が落ち込んだ状態図。
【図５】図５（ａ）は図３の長手方向中央付近のＣ−Ｃ概略断面図、図５（ｂ）は図５（ａ）の変位部が落ち込んだ状態図。
【図６】図３のおむつ用補助シートの変位部が落ち込んだ状態の平面側（身体側）斜視図。
【図７】図３のおむつ用補助シートの変位部が落ち込んだ状態の底面側斜視図。
【図８】本発明の第１の実施形態に係る第１の変形例であって、図３の一部分に対応した部分拡大図。
【図９】図８のおむつ用補助シートの変位部が落ち込んだ状態の平面側斜視図。
【図１０】本発明の第１の実施形態に係る第２の変形例であって、図３の一部分に対応した部分拡大図。
【図１１】図１０のおむつ用補助シートの変位部が落ち込んだ状態の底面側斜視図。
【図１２】本発明の第２の実施形態に係るおむつ用補助シートの平面図。
【図１３】図１３（ａ）は図１２のＥ−Ｅ領域におけるＤ−Ｄ概略断面図、図１３(ｂ)は図１３（ａ）の変位部が落ち込んだ状態図。
【図１４】本発明の第３の実施形態に係るおむつ用補助シートの概略斜視図。
【図１５】図１４のＦ−Ｆ概略断面図。
【発明を実施するための形態】
【００１５】
以下に、本発明の好ましい実施形態を、図面を参照して詳しく説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
また、以下の図において、同一の符号を付した箇所は同様の構成である。
【００１６】
図１のおむつ用補助シート（以下、「補助シート」という）２０は、おむつ１０のように小便等を吸収して保持することを目的とするものではなく、おむつ１０と一緒に使用して、おむつ１０の使用感を良好にするためのものである。
この補助シート２０は、図１及び図２に示すように一方向に長いシート状であり、その幅方向Ｘを股ＣＲの幅方向に沿わせると共に、長手方向Ｙの一方の端部２０Ａを下腹部側に、他方の端部２０Ｂを腰部側に配置し、その後、おむつ１０を装着して使用するようになっており、これにより、おむつ１０とその使用者ＨＭの股ＣＲとの間に配置される。
以下、本発明の補助シート２０を詳細に説明する前に、おむつ１０と身体との関係、及び補助シート２０の使用方法などについて、先に説明する。
【００１７】
図１及び図２に示すおむつ１０は、使い捨て又は紙おむつ（おしめ）等とも呼ばれ、パンツと同様な形状をしたパンツ式、又は、テープで組み立ててパンツ型にする所謂テープ式であり、排泄物の透過を防止するバックシート１２と、身体側に配置される不織布からなる表面材１４と、バックシート１２と表面材１４との間に配置され、表面材１４を透過してきた尿を吸収して保持するポリマー等を混合した厚みのある吸収体１６とを有している。
このようなおむつ１０は、使用者ＨＭの下腹部や臀部のカーブに合わせて装着され、これに対して、股ＣＲの部分は上側に凸となるように湾曲しているため、通常、股ＣＲとの間に空間Ｓが生じる。
また、寝た状態で過ごすことが多い高齢者や病人等の被介護者は、筋肉がやせて垂れ下がった臀部に従っておむつ１０も垂れ下がり、股ＣＲとの間に隙間が生じることが多い。また、当該被介護者は、筋肉の委縮により太もも周り等はやせ細るが、鼠蹊部の内転筋５は残るため、内腿から股ＣＲの周辺７にかけて凹状の窪みが生じ、その窪みとおむつ１０との間にも隙間が生じることも多い。このため、被介護者は健常者に比べて、おむつ１０と股ＣＲとの間に空間Ｓがより生じ易くなっている。
なお、本発明の補助シート２０は高齢者・介護用のおむつに限られず、乳幼児用おむつにも用いることができる。
【００１８】
補助シート２０は、このような股ＣＲとおむつ１０との間に生じた空間Ｓを利用し、空間Ｓに後述する変位部４０（図４参照）を変位させることを特徴とするため、装着する際は、補助シート２０とおむつ１０との間に空間Ｓが所要分だけ確保できるように、出来るだけ股ＣＲに密着或いは近くに配置して使用するのが好ましい。
具体的には、装着する際は、寝た状態において、補助シート２０を被介護者の股ＣＲにあてがってから、おむつ１０を履くようにする。これでも、寝た状態で過ごすことが多い被介護者が使用者である場合は、補助シート２０とおむつ１０との間に所要の空間Ｓを形成できる。
また、図の補助シート２０では、一方の端部２０Ａ及び他方の端部２０Ｂをおむつ１０と使用者ＨＭとで挟持可能なように、使用時における前後方向の長さＬを有している。このため、おむつ１０が身体に密着する下腹部側と腰部側に両端部２０Ａ，２０Ｂを配置し、その後、おしめ１０を履けば、一方の端部２０Ａを下腹部側に、他方の端部２０Ｂを腰部側にそれぞれ固定できる。従って、使用者ＨＭが動いたとしても、補助シート２０を股ＣＲの近くに保持し易くなる。
さらに、両端部２０Ａ，２０Ｂの外側（使用者ＨＭと反対側）にホットメルト接着剤や面ファスナー（不図示）等の貼着部を設け、これをおむつ１０の不織布からなる表面材１４に着脱可能に取り付けるようにすると好ましく、これにより、動きの激しい乳幼児等が使用者ＨＭであっても、補助シート２０を股ＣＲの近くにより保持し易くなる。
【００１９】
〔第１の実施形態〕
次に、本発明の第１の実施形態に係る補助シートを、主に図３〜図５を用いて詳細に説明する。
図３〜図５は第１の実施形態に係る補助シート２０であって、図３は装着時における身体側の面である平面図、図４（ａ）は図３のＢ−Ｂ概略断面図、図４（ｂ）は図４（ａ）の変位部が落ち込んだ状態図、図５（ａ）は図３の長手方向中央付近のＣ−Ｃ概略断面図、図５（ｂ）は図５（ａ）の変位部が落ち込んだ状態図である。なお、図３では、理解の便宜のため、変位部を平行斜線で図示している。
これらの図の補助シート２０は、肌触りの良い材料を用いるのが好ましく、そのような材料として、起毛立ちし難い不織布を用いることができる。不織布には、親水処理又は疎水処理をした繊維不織布のどちらも使用することができ、例えばポリオレフィン系、ポリエステル、アクリル等をサーマルボンド法やスパンボンド法、スパンレース法等でバインダーを使わずに融着して形成される。
【００２０】
そして、補助シート２０は図３及び図４に示すように、全体が一枚のシート状であり、短手方向Ｘは可及的に股ＣＲから離れないように、股ＣＲの幅に対応した寸法とされている。
この補助シート２０の長手方向Ｙの寸法（以下、「長さ寸法」という）、及び短手方向Ｘの寸法（以下、「幅寸法」という）は男女別、年齢別、体格別によって決めればよい。
なお、図３の補助シート２０は平面視が略長方形状であるが、本発明の形状はこれに限られるものではなく、例えば、図３の一点鎖線の図に示されるように、下腹部側の端部２０Ａ及び／又は腰部側の端部２０Ｂの幅寸法を、股に配置される中央部２０Ｃの幅寸法に比べて大きくし、これによりおむつ１０と身体との間に挟まれる面積を大きくして、補助シート２０の好ましい装着位置を保持し易くしてもよい。
【００２１】
ここで、補助シート２０は、少なくとも周縁を除く領域に、厚み方向を切断した複数の切断部３０を有し、互いに隣接する切断部３０，３０どうしの間に、排泄物が付着することで、おむつ１０側に落ち込むように変位する変位部４０が形成されている。すなわち、変位部４０は付着した排泄物の重みにより、排泄物が付着していない図４（ａ）の状態から図４（ｂ）に示すように、おむつ１０との間の空間Ｓに窪むようになっている。この変位部４０が窪む構造は、本実施形態の場合、プリーツ状の襞部３２によりなっている。
【００２２】
具体的には、図３及び図４（ａ）に示すように、不織布からなるシート２１は長手方向Ｙに沿ってプリーツ状に折られた複数の襞部３２を有している。図４（ａ）の各襞部３２は、長手方向Ｙに沿ってシート２１を折った折り部３２ａと、さらに続いて折り返すように折った返し部３２ｂとを有する形状であり、二つの折り目により形成されている。
また、図の襞部３２は、身体側に配置される面２０ｄでは、襞部３２の返し部３２ｂである先端部が幅方向Ｘの中心ＣＬを向いている。これにより、通常、尿や軟便は先ず中央部に排泄されることから、尿や軟便は襞部３２の中に入って溜まり易くなり、その結果、襞部３２に形成された変位部４０を、溜められた重量でおむつ１０側に落ち込み易くなる。
なお、幅方向Ｘの両端部のプリーツ状の襞部３２−５には変位部４０がなく、この襞部３２−５は変位を目的とするものではなく、単に尿や軟便を堰き止める機能を有するだけである。
また、各襞部３２は上述のように２つの折り目でプリーツ状に形成されているが、本発明はこれに限られず、例えば４つ以上の偶数個の折り目により形成されてもよい。
【００２３】
このような襞部３２は、図３に示すように幅方向Ｘに複数配列され、図では８つのプリーツ状の襞部３２が、幅方向Ｘの中心ＣＬを中心にして左右対称に形成されている。
図４（ａ）に示すように、各襞部３２の長さＸ１は例えば約４〜１４ｍｍであり、各襞部３２が略寝た状態において、幅方向Ｘで互いに隣接する襞部３２どうしに間隔Ｘ３が設定されている。この間隔Ｘ３は無ければ襞部３２どうしが重なって好ましくないが、大き過ぎても変位部４０どうしの間隔が大きくなってしまうため好ましくない。そこで、中心ＣＬを挟んで対向する襞部３２−３と襞部３２−４の間隔Ｘ２を除き、間隔Ｘ３は例えば約２〜１２ｍｍとされている。
なお、中心ＣＬ付近の互いに対向する襞部３２−３と襞部３２−４の間隔Ｘ２は例えば約５〜１６ｍｍであり、Ｘ３＜Ｘ２となっている。
また、図３に示すように、襞部３２は、後述する変位部４０の変位以外では開かないように、長手方向Ｙの両端部（使用時の前後）が接着剤１８等でとめられている。
【００２４】
そして、図３及び図５（ａ）に示すように、シート２１は、プリーツ状の各襞部３２の全幅（図４の長さＸ１全体）を切るようにして、厚み方向全体を切った複数の切れ目を入れて複数の切断部３０が形成されている。本実施形態の場合、幅方向Ｘに沿ってシート２１の上からカッターを押し当てて、襞部３２を含むシート２１の厚み全体を切断して切断部３０が形成されている。
このようにして、各襞部３２に複数の切断部３０が形成され、互いに隣接する切断部３０，３０どうしの間が変位部４０となる。本実施形態の場合、変位部４０の長手方向Ｙの両側を挟む２つの切断部３０，３０どうしの間隔Ｙ１は約４〜２０ｍｍとされている。
これにより、図４（ｂ）、図５（ｂ）、図６、及び図７に示すように、変位部４０に排泄物ＵＲが付着すると、変位部４０は排泄物ＵＲの重みにより、おむつ１０側に落ち込むように変位し、変位部４０の両端の切断部３０，３０、及びその切断部３０で画される孔ＨＲから、付着した軟便や尿等の排泄物ＵＲがおむつ１０側に落ち、おむつ１０はその尿や軟便の液体を吸収することになる。
なお、図の各襞部３２における変位部４０は、襞部３２の長さＸ１に略対応して約４〜１４ｍｍ程度の落ち込み可能な寸法Ｚ１を有しており、好ましくは変位した後の底部４０ａがおむつ１０に接触するようになっている。これにより、おむつ１０の繊維が密集した表面材１４が、その毛細管現象により変位部４０に付いた軟便等を積極的に吸収することができる。
そして、変位部４０は落ち込んでいるので、身体に接触する恐れが少なく、排泄物ＵＲが少なくとも大量に付着していないために落ち込んでいない部分だけが身体に接触することになる。
【００２５】
また、図の切断部３０及び変位部４０は周縁部には形成されていないが、排泄物が直ぐに付着することが想定される領域に形成されていれば、周縁部に形成されていても構わない。
また、図３及び図５に示すように、切断部３０は幅方向Ｘに略沿っているが、本発明はこれに限られるものではなく、幅方向Ｘの成分をもって斜めに切れ目を入れてもよい。
但し、幅方向Ｘで互いに隣接する襞部３２どうしの関係では、互いに切断部３０の位置をずらして配置するのが好ましい。例えば、図３の襞部３２−１と、この襞部３２−１に幅方向Ｘで隣接する襞部３２−２に示すように、長手方向Ｙの位置をずらして切断部３０を配置するとよい。これにより、上述したように、幅方向Ｘに互いに隣接する襞部３２どうしの間隔Ｘ３が小さくても、切れ目である切断部３０どうし（例えば図３の３０−１と３０−２）がつながってしまう事態を有効に回避できる。なお、図では、幅方向Ｘの中心ＣＬを挟んだ左右の襞部３２−１，３２−２の間隔Ｘ２は間隔Ｘ３に比べて大きいため、襞部３２−３，３２−４における切断部３０は、長手方向Ｙの位置が同様とされている。
【００２６】
そして、各襞部３２に配置された複数の変位部４０は長手方向Ｙに間隔Ｙ２（約４〜１４ｍｍ）をあけて配置され、同じプリーツ状の襞部３２において、互いに隣接する変位部４０どうしの間は厚み方向Ｚが固着されて、排泄物が付着しても、変位部４０のようには落ち込まないようになっている。
具体的には、図４の一点鎖線で囲った部分拡大図に示すように、襞部３２は厚み方向Ｚの互いに対向する面２４ａ，２４ｂどうし、及び面２４ｃ，２４ｄどうしが固着した固着部２４を有し、これにより、襞部３２の固着部２４を有する部分の周辺は、襞部３２が開かない（折り目３２ａ，３２ｂが広がらない）ようになっている。そして、図３に示すように、この固着部２４と変位部４０とが切断部３０を間に挟みながら交互に配置されている（換言すれば、固着部２４は２つの切断部３０おきに形成されている。）。
なお、図４（ａ）の固着部２４は、プリーツ状の襞部３２を形成した後に、上下面をコテ等で押さえて熱で不織布を溶着することで形成されており、襞部３２の厚み方向Ｚの全体が固着している。
以上のようにして、プリーツ状の襞部３２の全体が開いたり、尿や軟便ＵＲが付着していない部分が変位部４０に引きずられて、連続的に落ち込んだりする事態を防止している。
【００２７】
本発明の固着部２４は２つの切断部３０，３０に挟まれた全体を固着して形成しても構わないが、図３及び図４（ａ）に示すように、ドット状であることが好ましい。これにより、図３及び図５（ａ）に示すように、２つの切断部３０，３０に挟まれた固着部２４を有する襞部３２の領域ＳＥは、厚み方向Ｚの面の全体が固着されていない状態である。従って、例えば、変位部４０に大量の軟便が一度に入り、又は、大便が詰まるなどして、変位部４０から便が身体側に溢れ出ようとした場合、この襞部３２の固着していない襞の間のスペース１９に排泄物が入って、便が表に溢れることを可及的に防止できる。なお、ドット状の固着部２４は、襞部３２の先端部（返し部）３２ｂ寄りに配置されている。
【００２８】
本発明の第１の実施形態に係る補助シート２０は以上のように構成され、隣接する切断部３０どうしの間に、排泄物が付着して所要の負荷がかかると変位部４０がおむつ１０側に落ち込んで、変位部４０に付着した軟便や尿等がそれ以上シートの表面に拡がることを有効に防止できる。しかも、落ち込んだ変位部４０の両端の切断部３０，３０から排泄物をおむつ１０側に落とせるので、変位部４０の中から排泄物が溢れ出ることも有効に防止できる。従って、軟便や尿等の表面の拡がりを抑えつつ、軟便や尿をおむつ１０に移動させることができる。従って、軟便や尿が付着した表面が身体に触れる領域が小さくなり、使用者に与える不快感を軽減できる。
さらに、このように軟便や尿が付着した表面が身体に触れる領域が小さくなった結果、例えば、横向きで寝た状態の被介護者等の肌を軟便や尿が伝わることも抑制でき、従って、所謂横漏れ防止効果も有効に発揮される。
【００２９】
〔第１の実施形態の第１の変形例〕
次に、本発明の上記第１の実施形態の第１の変形例について図８、図９を用いて説明する。
図８は当該第１の変形例に係る補助シート５０であって、図３の部分に対応した部分拡大図である。この図の補助シート５０が図１〜図７の補助シート２０と異なるのは、切断部３０の形状のみである。
すなわち、固着部２４と変位部４０との間の切断部３０は、装着時の股側における襞部３２の先端部（返し部）３２ｂに対応する部分３０ａが、平面視において、隣接する固着部２４側に曲がった角丸形状となっている。換言すれば、ドット状の固着部２４がある領域ＳＥの両端の切断部３０，３０は、襞部３２の先端部（返し部）３２ｂに向かうに従って、徐々に互いに接近している。
本第１の変形例は以上のように構成されており、このため、図９に示すように、変位部４０がおむつ側に落ち込んでも、落ち込まずに残った領域ＳＥにおける襞部３２の先端部３２ｂの角部は、身体に接触しても刺激を和らげることができる。
【００３０】
〔第１の実施形態の第２の変形例〕
次に、本発明の上記第１の実施形態の第２の変形例について図１０、図１１を用いて説明する。
図１０は当該第２の変形例に係る補助シート６０であって、図３の部分に対応した部分拡大図である。この図の補助シート６０が図１〜図７の補助シート２０と異なるのは、切断部３０の形状のみである。
すなわち、切断部３０は平面視において波型形状を有している。この波型形状はプリーツ状の襞部３２を形成した後、その襞部３２にジグザグに切れ目を入れて形成すればよい。なお、波型形状は、切断部３０の一部にのみ形成されても構わないが、本変形例では切断部３０の全体が波型形状とされている。
【００３１】
また、この波型形状は三角波状、矩形波状、台形波状、等であっても構わないが、本変形例では角部のない曲線による波型形状にしている。これにより、変位部４０がおむつ側に落ち込んだ際、残った領域ＳＥの端部が身体に接触しても刺激を和らげることができる。
本第２の変形例は以上のように構成されており、このため、図１１に示すように、変位部４０がおむつ側に落ち込んで、その落ち込んだ変位部４０の両端にある切断部３０から軟便等がおむつ側に落ちる際、波型形状が契機となって、おむつ側に落ち易くなる。従って、いち早く軟便等をおむつに移動させて、変位部４０から排泄物が身体側に溢れ出ることを有効に回避できる。
【００３２】
〔第２の実施形態〕
次に、本発明の第２の実施形態に係る補助シートついて図面を用いて説明する。
図１２は当該第２の実施形態に係る補助シート７０の平面図である。なお、図１２では、理解の便宜のため、変位部４０を平行斜線で図示している。
この図の補助シート７０が第１の実施形態に係る補助シート２０と主に異なるのは、変位部４０の面積である。
すなわち、変位部４０は、肛門周辺である大便が排泄される領域に配置された大便変位部４２と、尿道の出口周辺である尿が排泄される領域に配置された尿変位部４３とを有している。なお、図の補助シート７０は男性用であり、長手方向Ｙの中心部を境に、一方の端部２０Ａ側が尿変位部４３、他方の端部２０Ｂ側が大便変位部４２とされているが、本発明はこれに限られるものではない。
【００３３】
そして、尿変位部４３は大便変位部４２に比べて平面視における面積が小さくなっている。本実施形態の場合、各襞部３２の長手方向Ｙに形成された複数の切断部３０の間隔を変えることで、当該面積を異ならせている。すなわち、尿変位部４３の両端における切断部３０どうしの間隔Ｙ３は、大便変位部４２の両端における切断部３０どうしの間隔Ｙ４に比べて小さくなっている。これにより、図１３（ｂ）に示すように、変位部４０のおむつ側へ落ち込んだ際の深さＺ１は図３〜図７の第一の実施形態と変わることなく、変位部４０の面積を変えている。
【００３４】
本発明の第２の実施形態は以上のように構成されている。そうすると、尿が排泄される領域では、尿変位部４３は尿が付着すると、大便変位部４２に比べて早く落ち込むように変位して、表面に拡がり易い尿を速やかにおむつ側に移動させることができる。また、相対的に面積が大きい大便変位部４２は、大きな大便（軟便を含む）を受け入れ易くなる。このようにして、変位部４０が落ち込んだ後の補助シート７０の表面には尿、軟便、大便のいずれも可及的に付着しないようにして、第１の実施形態に比べて使用感をより高めることができる。
【００３５】
〔第３の実施形態〕
次に、本発明の第３の実施形態に係る補助シートついて図面を用いて説明する。
図１４及び図１５は当該第３の実施形態に係る補助シート８０であり、図１４はその概略斜視図、図１５は図１４のＦ−Ｆ概略断面図である。なお、図１４は手前側が凸となるように湾曲した図であり、上述した固着部などは省略して図示している。
これらの図の補助シート８０が第１の実施形態に係る補助シート２０と異なるのは、湾曲したシート状とされている点である。
すなわち、補助シート８０の本体であるシート２１は、少なくとも、装着時における股の間に対応するＧ−Ｇ領域であって、股の幅方向（図１５の左右方向）の両端部８０ａ，８０ｂに、装着時の前後方向（シート２１の長手方向Ｙ）に沿って、ゴム紐等の弾性体７７が設けられている。
この弾性体７７は、シート２１を拡げた状態において（図３のような状態）、長手方向Ｙの中心部に向かって張力を発揮するようになっている。
【００３６】
本発明の第３の実施形態は以上のように構成されている。このため、補助シート８０は、人為的に力を加えない状態では、弾性体７７の張力により、図１４に示すように、長手方向Ｙの中心部が身体側に向かって凸となるように湾曲する。なお、補助シート８０は不織布からなる一枚の薄いシートであり、簡単に湾曲するため、弾性体７７の張力は小さいものでよい。
従って、頭部側に向かって凸となる股であっても、補助シート８０を股に近接して装着させ易くし、おむつとの間に所要の空間Ｓ（図１参照）を形成し易くすることができる。
【００３７】
ところで本発明は上記実施の形態に限定されるものではなく、上述の実施形態の個別の構成は、必要により省略したり、説明しない他の構成と組み合わせたりしてもよい。
例えば、本発明の補助シートと共に用いられるおむつは使い捨ておむつに限られず、例えば、布おむつであってもよい。
また、上記好ましい実施形態では、一枚のシートを長手方向に沿って折ることでプリーツ状の襞部を形成しているが、本発明はこれに限られず、短手方向に沿って折ることでプリーツ状の襞部を形成してもよい。
また、上記好ましい実施形態では、プリーツ状の襞部を利用して変位部を形成しているが、本発明はこれに限られず、例えば、不織布シートをアコーデオン状に折り、このアコーデオン状の折った方向に沿って適宜複数の切断部が形成された第一の不織布と、この第一の不織布とは別の不織布シートであって、複数の貫通孔が形成された第二の不織布とを重ね合わせ、前記貫通孔から露出するアコーデオン状の部分を変位部にするようにしてもよい。
【符号の説明】
【００３８】
１０・・・おむつ、２０，５０，６０，７０，８０・・・おむつ用補助シート、３０・・・切断部、４０・・・変位部、２４・・・固定部、３２・・・襞部、７７・・・弾性体
【図１】
2014226385.tif 000003
【図２】
2014226385.tif 000004
【図３】
2014226385.tif 000005
【図４】
2014226385.tif 000006
【図５】
2014226385.tif 000007
【図６】
2014226385.tif 000008
【図７】
2014226385.tif 000009
【図８】
2014226385.tif 000010
【図９】
2014226385.tif 000011
【図１０】
2014226385.tif 000012
【図１１】
2014226385.tif 000013
【図１２】
2014226385.tif 000014
【図１３】
2014226385.tif 000015
【図１４】
2014226385.tif 000016
【図１５】
2014226385.tif 000017